(57)【要約】【課題】使用者に生じる浮腫を効果的に改善する浮腫改善装置等を提供すること。【解決手段】使用者の身体の一部に対して、少なくとも、マッサージ動作を行うマッサージ部２７と、使用者の身体の状態を計測する計測部２８と、を有し、計測部は、少なくとも、マッサージ部のマッサージ動作の前後に計測を行い、その測定結果情報を記憶する構成となっており、マッサージ動作後の計測結果情報を、既に記憶済みの計測結果情報である既登録計測結果情報と比較して、使用者の身体の浮腫状態が改善したか否かを判断する構成となっている浮腫改善装置１０。【選択図】図６
2012065805.tif 000002
【特許請求の範囲】
【請求項１】
使用者の身体の一部に対して、少なくとも、マッサージ動作を行うマッサージ部と
前記使用者の身体の状態を計測する計測部と、を有し、
前記計測部は、少なくとも、前記マッサージ部の前記マッサージ動作の前後に前記計測を行い、その測定結果情報を記憶する構成となっており、
前記マッサージ動作後の前記計測結果情報を、既に記憶済みの前記計測結果情報である既登録計測結果情報と比較して、使用者の身体の浮腫状態が改善したか否かを判断する構成となっていることを特徴とする浮腫改善装置。
【請求項２】
前記計測部が、使用者の腕部及び／又は足部の周囲長さを計測する構成となっていることを特徴とする請求項１に記載の浮腫改善装置。
【請求項３】
前記計測部が、前記腕部を計測するときは、前記腕部の下腕部と上腕部をそれぞれ計測すると共に、前記足部を計測するときは、前記足部のふくらはぎ部と太もも部をそれぞれ計測する構成となっていることを特徴とする請求項２に記載の浮腫改善装置。
【請求項４】
前記計測部が、前記下腕部の下側部と上側部を計測するときは、それぞれ、前記上腕部及び前記下腕部の下側部と上側部をそれぞれ計測すると共に、前記足部の前記ふくらはぎ部と前記太もも部を計測するときは、それぞれ、前記ふくらはぎ部と前記太もも部の下側部と上側部を計測する構成となっていることを特徴とする請求項３に記載の浮腫改善装置。
【請求項５】
前記マッサージ動作後の前記計測結果情報と比較すべき前記既登録計測結果情報が、前記既に記憶済みの前記計測結果情報のうち、最も計測数値が大の情報である最大計測結果情報であり、
この最大計測結果情報と、前記マッサージ動作後の前記計測結果情報との差分情報に基づき浮腫の有無を判断することを特徴とする請求項１乃至請求項４のいずれか１項に記載の浮腫改善装置。
【請求項６】
前記計測結果情報を記憶するときに、その計測時刻情報と関連付けて記憶する構成となっていることを特徴とする請求項１乃至請求項５のいずれか１項に記載の浮腫改善装置。
【請求項７】
前記マッサージ部が前記マッサージ動作をするときに、血圧測定を行い、この血圧測定結果が、前記マッサージ動作の前後の前記計測部による前記計測結果情報と関連付けて記憶されることを特徴とする請求項１乃至請求項６のいずれかの記載の浮腫改善装置。
【請求項８】
使用者の身体の一部に対して、少なくとも、マッサージ動作を行うマッサージ部と
前記使用者の身体の状態を計測する計測部と、を有し、
前記計測部は、少なくとも、前記マッサージ部の前記マッサージ動作の前後に前記計測を行い、その測定結果情報を記憶し、
前記マッサージ動作後の前記計測結果情報を、既に記憶済みの前記計測結果情報である既登録計測結果情報と比較して、使用者の身体の浮腫状態が改善したか否かを判断する構成となっていることを特徴とする浮腫改善方法。
【発明の詳細な説明】
【技術分野】
【０００１】
本発明は、例えば、人体の腕や足等に生じる所謂「浮腫（むくみ）」を改善するための装置及び方法に関するものである。
【背景技術】
【０００２】
従来から、妊婦等には浮腫（むくみ）が見られる。この「浮腫」とは、例えば、「細胞内でも血管内でもない人体内の部分にあるいたるところの部分である間質部分に異常に病的に水分が増加する状態」等を指す。
このような、浮腫が妊婦等に生じたとき、従来、妊婦等は一般的なマッサージ装置を用いていた（例えば、特許文献１）。
【先行技術文献】
【特許文献】
【０００３】
【特許文献１】特開２００６−３３３９７８公報
【発明の概要】
【発明が解決しようとする課題】
【０００４】
しかし、このようなマッサージ装置は、一般的なマッサージ装置であって、必ずしも「浮腫」に適したものとはならないという問題もあった。
【０００５】
そこで、本発明は、使用者に生じる浮腫を効果的に改善する浮腫改善装置及び方法を提供することを目的とする。
【課題を解決するための手段】
【０００６】
上記目的は、本発明にあっては、使用者の身体の一部に対して、少なくとも、マッサージ動作を行うマッサージ部と、前記使用者の身体の状態を計測する計測部と、を有し、前記計測部は、少なくとも、前記マッサージ部の前記マッサージ動作の前後に前記計測を行い、その測定結果情報を記憶する構成となっており、前記マッサージ動作後の前記計測結果情報を、既に記憶済みの前記計測結果情報である既登録計測結果情報と比較して、使用者の身体の浮腫状態が改善したか否かを判断する構成となっていることを特徴とする浮腫改善装置により達成される。
【０００７】
前記構成によれば、マッサージ動作後の計測結果情報を、既に記憶済みの計測結果情報である既登録計測結果情報と比較して、使用者の身体の浮腫状態が改善したか否かを判断する構成となっている。このため、マッサージ部によるマッサージ動作によって、使用者の身体の浮腫が改善したか否かを使用者が認識できる。
【０００８】
好ましくは、前記計測部が、使用者の腕部及び／又は足部の周囲長さを計測する構成となっていることを特徴とする浮腫改善装置である。
【０００９】
前記構成によれば、使用者の腕部及び／又は足部の周囲長さを計測するので、腕部及び／又は足部の周囲長さの変化により、使用者の浮腫の有無を判断することができる。
【００１０】
好ましくは、前記計測部が、前記腕部を計測するときは、前記腕部の下腕部と上腕部をそれぞれ計測すると共に、前記足部を計測するときは、前記足部のふくらはぎ部と太もも部をそれぞれ計測する構成となっていることを特徴とする浮腫改善装置である。
【００１１】
前記構成によれば、計測部が、腕部を計測するときは、腕部の下腕部と上腕部をそれぞれ計測すると共に、足部を計測するときは、足部のふくらはぎ部と太もも部をそれぞれ計測する構成となっているので、浮腫の発生部位等を精度良く把握することができる。
【００１２】
好ましくは、前記計測部が、前記下腕部の下側部と上側部を計測するときは、それぞれ、前記上腕部及び前記下腕部の下側部と上側部をそれぞれ計測すると共に、前記足部の前記ふくらはぎ部と前記太もも部を計測するときは、それぞれ、前記ふくらはぎ部と前記太もも部の下側部と上側部を計測する構成となっていることを特徴とする浮腫改善装置である。
【００１３】
前記構成によれば、計測部が、下腕部の下側部と上側部を計測するときは、それぞれ、上腕部及び下腕部の下側部と上側部をそれぞれ計測すると共に、足部のふくらはぎ部と太もも部を計測するときは、それぞれ、ふくらはぎ部と太もも部の下側部と上側部を計測する構成となっている。このため、浮腫の発生部位等をより精度良く把握することができる。
【００１４】
好ましくは、前記マッサージ動作後の前記計測結果情報と比較すべき前記既登録計測結果情報が、前記既に記憶済みの前記計測結果情報のうち、最も計測数値が大の情報である最大計測結果情報であり、この最大計測結果情報と、前記マッサージ動作後の前記計測結果情報との差分情報に基づき浮腫の有無を判断することを特徴とする浮腫改善装置である。
【００１５】
前記構成によれば、最大計測結果情報と、マッサージ動作後の計測結果情報との差分情報に基づき浮腫の有無を判断するので、浮腫の改善を容易且つ正確に把握することができる。
【００１６】
好ましくは、前記計測結果情報を記憶するときに、その計測時刻情報と関連付けて記憶する構成となっていることを特徴とする浮腫改善装置である。
【００１７】
前記構成によれば、計測結果情報を記憶するときに、その計測時刻情報と関連付けて記憶する構成となっているので、浮腫があるとされた計測結果情報の計測時刻情報から浮腫になり易い時間帯等を把握することができる。
【００１８】
好ましくは、前記マッサージ部が前記マッサージ動作をするときに、血圧測定を行い、この血圧測定結果が、前記マッサージ動作の前後の前記計測部による前記計測結果情報と関連付けて記憶されることを特徴とする浮腫改善装置である。
【００１９】
前記構成によれば、マッサージ部がマッサージ動作をするときに、血圧測定を行い、この血圧測定結果が、マッサージ動作の前後の計測部による計測結果情報と関連付けて記憶される構成となっている。このため、浮腫の有無と共に、血圧を計測することができると共に、血圧と浮腫との関係データも取得することできる。特に妊婦にとって、この関係データは有意性が高く、この関係データにより、前記使用者自身が自身の体調変化を把握することができるので、体調管理をし易くすると同時に、場合によっては、この関係データが医師による診断の有効な指標となり得る。
【００２０】
前記目的は、本発明にあっては、使用者の身体の一部に対して、少なくとも、マッサージ動作を行うマッサージ部と、前記使用者の身体の状態を計測する計測部と、を有し、前記計測部は、少なくとも、前記マッサージ部の前記マッサージ動作の前後に前記計測を行い、その測定結果情報を記憶し、前記マッサージ動作後の前記計測結果情報を、既に記憶済みの前記計測結果情報である既登録計測結果情報と比較して、使用者の身体の浮腫状態が改善したか否かを判断する構成となっていることを特徴とする浮腫改善方法により達成される。
【発明の効果】
【００２１】
以上説明したように、本発明によれば、使用者に生じる浮腫を効果的に改善する浮腫改善装置及び方法を提供することができる。
【図面の簡単な説明】
【００２２】
【図１】本発明の実施の形態に係る浮腫改善装置を示す概略図である。
【図２】図１のカフ装置のＡ―Ａ‘線の概略断面図である。
【図３】カフ装置の動作例を示す概略図である。
【図４】浮腫改善装置の情報処理の主なハードウエア構成等を示す概略図である。
【図５】図１の浮腫改善装置の主な構成を示す概略ブロック図である。
【図６】本実施の形態にかかる浮腫改善装置の主な動作等を示す概略フローチャートである。
【図７】本実施の形態にかかる浮腫改善装置の主な動作等を示す他の概略フローチャートである。
【図８】カフ装置を使用者が装着した状態を示す概略図である。
【図９】本実施の形態に係る浮腫改善装置の変形例を示す概略図である。
【発明を実施するための形態】
【００２３】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２４】
図１は、本発明の実施の形態に係る浮腫改善装置１０を示す概略図である。
図１に示すように、浮腫改善装置１０は、装置本体２０とカフ装置３０とを有し、このカフ装置３０と装置本体２０とを接続するための多孔管４０が配置されている。この多孔管４０には、図１の長手方向に、カフ装置３０と装置本体２０とを結ぶ、例えば３つの穴が形成され、これらは、それぞれ、空気を送気する穴、後述する受発光素子による受発光用のリード線が通る穴及び後述するコロトコフ音を取得するためのマイク用の穴として用いられる。そして、各穴はそれぞれ他の穴と独立した空間ともなっているので、例えば、コロトコフ音の取得が、送気や受発光用信号等によって干渉等されることがないという利点がある。さらに、トリプルルーメンを用いることで、複数のルーメンが一体となっているので外観も良好となるという利点もある。
【００２５】
図２は、図１のカフ装置３０のＡ―Ａ‘線の概略断面図である。
図２に示すように、カフ装置３０は、その外側にシャーシ３１が配置され、その内側に空気袋３２がシャーシ３１に沿って例えば、４個配置されている。
また、シャーシ３０の内側には、図１に示すような、４つのカフ構成部分３０ａ、３０ｂ、３０ｃ、３０ｄに区分されている。そして、これら各カフ構成部分３０ａ等には、それぞれ空気袋３２が、図２に示すように４つずつ形成されている。
このため、図１のカフ構成部分３０ａ等は、それぞれ独立して動作可能な構成となっており、例えば、カフ構成部分３０ａの空気袋３２等にのみ空気を満たすことができる構成となっている。
【００２６】
このように、浮腫改善装置１０は、基本的には、カフ装置３０を、使用者の浮腫（むくみ）が生じていると思われる腕や足等に装着し、空気袋３２に空気を満たし、図２の例えば、腕Ｍに対して、加圧減圧を交互に繰り返し、又は振動する（若しくは双方）ことでマッサージ動作等を実行させることができる構成となっている。
また、図２に示すように、各空気袋３２には、発光素子３３ａ及び受光素子３３ｂが形成され、受光素子３３ｂが発光素子３３ａの光量を検知することで、空気袋３２の矢印Ｌ１乃至Ｌ４の距離を求め、これらのデータから図２に示す使用者の腕Ｍの周囲長さを計測することができる構成ともなっている。
【００２７】
また、空気袋３２には、図示しないマイク（集音器）が配置され、腕Ｍの血管における「コロトコフ音」を取得することができ、これにより血圧測定が可能な構成ともなっている。
【００２８】
図３は、カフ装置３０の動作例を示す概略図である。
図３に示すように、カフ装置３０は、伸縮可能な構成となっている。したがって、必要に応じ、カフ装置３０の長さを使用者の腕や足の長さに合致するように調整することができる構成ともなっている。
【００２９】
また、図１に示すように、装置本体２０は、各種情報を表示するための表示部２１、浮腫改善装置１０の開始ボタン２２、スピーカ２３等を有すると共に、各モードの切り替えボタン２４ａ乃至２４ｄ等を有している。
【００３０】
また、本実施の形態に係る浮腫改善装置１０は、情報処理を行うための例えば、コンピュータを有している。
図４は、浮腫改善装置１０の情報処理の主なハードウエア構成等を示す概略図である。
図４に示すように、浮腫改善装置１０は、コンピュータ等を有し、コンピュータは、ＣＰＵ（Ｃｅｎｔｒａｌ  Ｐｒｏｃｅｓｓｉｎｇ  Ｕｎｉｔ）３、ＲＡＭ（Ｒａｎｄｏｍ  Ａｃｃｅｓｓ  Ｍｅｍｏｒｙ）４、ＲＯＭ（Ｒｅａｄ  Ｏｎｌｙ  Ｍｅｍｏｒｙ）５等を有し、これらは、例えばバス２を介して配置されている。
【００３１】
このバス２は、すべてのデバイスを接続する機能を有し、アドレスやデータバスを有する内部バスである。ＣＰＵ３は所定のプログラムの処理を行う他、バス２に接続されたＲＯＭ５等を制御している。ＲＯＭ５は、各種プログラムや各種情報等を格納している。ＲＡＭ４は、プログラム処理中のメモリの内容を対比すると共に、プログラムを実行するためのエリアとしての機能も有する。
【００３２】
また、このバス２には、上述の表示部（ディスプレイ）２１、切り替えボタン２４ａ等、開始ボタン２２、スピーカ２３も接続されている。さらに、上述の空気袋３２等の加圧減圧等により使用者の腕Ｍ等に対するマッサージ動作を行うマッサージ部である例えば、マッサージ装置２７、図２の発光素子３３ａと受光素子３３ｂ等による使用者の腕Ｍ等の周囲長さを測る長さ計測装置２８（計測部の一例）、そして、上述の血圧測定装置２９も接続されている。
【００３３】
図５は、図１の浮腫改善装置１０の主な構成を示す概略ブロック図である。
図５に示すように浮腫改善装置１０は、制御部５０を有し、この制御部５０により、上述のマッサージ動作装置２７、長さ計測装置２８、血圧測定装置２９、表示装置２１、切り替えボタン２４ａ等、開始ボタン２２及びスピーカ２３等が制御されている。
また、図５に示すように、制御部５０には、各種プログラム及び記憶部等が接続されているが、これらの内容については後述する。
【００３４】
図６及び図７は、本実施の形態にかかる浮腫改善装置１０の主な動作等を示す概略フローチャートである。
以下、図６及び図７のフローチャートに沿って浮腫改善装置１０の動作等を説明すると共に、図１乃至図５等の構成等も併せて説明する。
【００３５】
従来から、妊婦に妊娠中毒症の症状が見られることがある。この妊娠中毒症は、従来、高血圧、尿タンパク、浮腫のうちの１つ又は２つ以上の症状が見られ、その症状が妊娠前から持っている症状でないものを指していた。
ここで、「浮腫」とは、例えば、「細胞内でも血管内でもない人体内の部分のいたるところの部分である間質部分に異常に病的に水分が増加する状態」等を指す。
現在は、「妊娠中毒症」の名称を「妊娠高血圧症候群」へと変更し、浮腫は、「妊娠高血圧症候群」の判定基準から外されている。
しかし、浮腫は、現在でも妊婦等にとって重要な症状であることから精度の高い浮腫の有無の判断及び改善等が必要となっている。
したがって、以下、妊婦が本実施の形態の浮腫改善装置１０を使用する場合を例に説明する。
【００３６】
まず、例えば、腕Ｍに浮腫を感じた妊婦は、図１の浮腫改善装置１０の切り替えボタン２４ａ等を操作し、自己の氏名等を浮腫改善装置１０に登録する。
その後、浮腫改善装置１０を使用する身体の一部である例えば、腕又は足を切り替えボタン２４ａ等を用いて選択する。本実施の形態では、例えば、腕を選択する。
【００３７】
その後、妊婦は、図１のカフ装置３０の伸縮部分（蛇腹部分）を伸ばし、図８に示すように、自己の腕Ｍの上腕と下腕を覆う。
図８は、カフ装置３０を使用者が装着した状態を示す概略図である。
カフ装置３０のカフ構成部分３０ａが使用者である妊婦の腕Ｍの下腕の下側、カフ構成部分３０ｂが下腕の上側、カフ構成部分３０ｃが上腕の下側、そして、カフ構成部分３０ｄが上腕の上側に、それぞれ配置される。
【００３８】
この状態で、妊婦が図１の装置本体２０の開始ボタン２２を押下すると、先ず、図６のＳＴ１の「腕周囲長さ計測工程、血圧測定工程及び実行時刻記憶工程」が開始される。
すなわち、マッサージ動作が実施される前に、妊婦の腕周囲長さの計測、血圧測定及びこれらの計測時刻の記憶等が行われる。
図７は、図１のＳＴ１の「腕周囲長さ計測工程、血圧測定工程及び実行時刻記憶工程」の内容を示すフローチャートである。
【００３９】
以下、図７のフローチャートに従い、その動作等を説明する。
先ず、ＳＴ１１に示すように、図５のマッサージ動作装置２７が動作し、図８のカフ構成部分３０ａである下腕下側の４つの空気袋３２に空気が注入され加圧される。
【００４０】
次いで、ＳＴ１２へ進む。ＳＴ１２では、上述のように、図２の空気袋３２に形成される発光素子３３ａからの光量を受光素子３３ｂが判断し、この光量に基づいて図２の矢印Ｌ１等の距離を求め、この距離Ｌ１等に基づき、妊婦の腕Ｍ等の周囲長さを計測する。
これは、図５の長さ計測装置２８が実行する。
【００４１】
次いで、ＳＴ１３へ進む。ＳＴ１３では、下腕下側の空気袋３２の空気を抜いて減圧し、ＳＴ１２の測定結果（計測結果情報の一例）を測定者情報、時刻情報（例えば、日付時刻等）（計測時間情報の一例）及び測定部位情報（例えば、下腕下側）と関連付けて、図５の測定結果記憶部５１に記憶させる。
【００４２】
次いで、ＳＴ１４へ進む。ＳＴ１４では、図８のカフ構成部分３０ｂである下腕上側の４つの空気袋３２に空気が注入され加圧される。
ＳＴ１５では、ＳＴ１２と同様の方法で、下腕上側の周囲長さが測定され、ＳＴ１６では、ＳＴ１３と同様の方法で、下腕上側の測定結果が、測定結果記憶部５１に記憶される。
【００４３】
次いで、ＳＴ１７乃至ＳＴ１９は、測定部位が上腕下側（図８のカフ構成部分３０ｃ）に変わるのみで、上述のＳＴ１４乃至ＳＴ１６とほぼ同様の工程を経て、上腕下側の測定結果が測定結果記憶部５１に記憶される。
【００４４】
次いで、ＳＴ２０乃至ＳＴ２２は、測定部位が上腕上側（図８のカフ構成部分３０ｄ）に変わるのみで、上述のＳＴ１４乃至ＳＴ１６とほぼ同様の工程を経て、上腕上側の測定結果が測定結果記憶部５１に記憶される。
【００４５】
以上で、妊婦の腕の下腕下側、下腕上側、上腕下側、そして上腕上側の周囲長さのデータが、時刻情報と共に、測定結果記憶部５１に記憶される。
【００４６】
次いで、ＳＴ２３へ進む。ＳＴ２３では、図５の血圧測定装置２９が動作し、血圧測定を行う。具体的には、図８のカフ構成部分３０ｃ（上腕下側）の空気袋３２に空気を注入し加圧した後、マイク（不図示）でコロトコフ音を取得し、これにより血圧を測定する。その後、測定した血圧データ（血圧測定結果）を上記ＳＴ１３、ＳＴ１６、ＳＴ１９及びＳＴ２２の測定結果と関連付けて、測定結果記憶部５１に記憶する。
【００４７】
以上で、図６のＳＴ１が終了し、ＳＴ２へ進む。ＳＴ２では、浮腫を改善するためのマッサージ動作が実行される。具体的には、図５のマッサージ動作装置２７が動作し、マッサージ動作、すなわち、空気袋３２への空気の注入加圧及び減圧が交互に行われる。
具体的には、各カフ構成部分がそれぞれ独立して動作可能な構成になるように、多孔管４０の空気を送気する穴がさらに４つに分割されており、各カフ構成部分に送気できるようにする。
このとき、空気袋３２への空気の注入加圧及び減圧の制御は、制御部５０で行う。他にも、例えば、圧力センサーと切替弁を各カフ構成部分に配置（不図示）し、カフ構成部分３０ａに空気の注入加圧をはじめてから圧力が所定値に達したことを圧力センサーが検知した場合、切替弁によって注入加圧をカフ構成部分３０ｂへ切替える、という動作を行い、この動作をカフ構成部分３０ｃ及びカフ構成部分３０ｄにおいても同様に順次行う方法でも良い。
この動作の代わりに、または、この動作に加えて、振動動作が行われる。振動動作には、例えば、主に携帯電話や無線呼出に使われる機能と同様に、モータの軸に重心を偏らせた重りを取り付け、回転させることで振動を生む方式の振動モータを用いる。
上述のマッサージ動作は、例えば、図８の下腕下側、下腕上側、上腕下側及び上腕上側の順に実施されるが、これに限定されず、例えば、各モードの切り替えボタン等の操作で、空気の注入加圧及び減圧の順序を、さらにはマッサージの強弱等を好みによって変更することも可能である。
【００４８】
次いで、ＳＴ３へ進む。ＳＴ３は、ＳＴ１と同様の工程が行われ、マッサージ動作後の妊婦の下腕下側、下腕上側、上腕下側及び上腕上側の周囲長さのデータが時間情報や血圧情報等と共に記憶される。
【００４９】
次いで、ＳＴ４へ進む。ＳＴ４では、図５の腕周囲長さ差分データ生成部（プログラム）５２が動作し、図５の測定結果記憶部５１を参照し、当該測定者である妊婦の測定者情報と関連付けられている過去（既に記憶済み）の腕の周囲長さの測定結果データ（既登録計測結果情報）の内、最も数値が大きい測定結果データ（最大計測結果情報の一例）と、直近の測定結果の腕の周囲長さを比較し、その差分情報（長さの差）を図５の腕周囲長さ差分データ記憶部５３に記憶させる。
【００５０】
次いで、ＳＴ５へ進む。ＳＴ５では、図５の浮腫改善判断部（プログラム）５４が動作して、直近の腕の周囲長さの測定結果データから浮腫が改善されたか否かが判断される。
具体的には、図５の腕周囲長さ差分データ記憶部５３に、記憶されている差分データ（下腕下側、下腕上側、上腕下側及び上腕上側の各差分データ）が、図５の浮腫改善基準データ記憶部５５内の基準データ（例えば、１ｍｍ以上）であるか否かが判断される。本実施の形態では、基準データを１ｍｍとしているが、例えば、足に装着する場合、基準データを２ｍｍと設定することや、足首やふくらはぎといった部位ごと、さらには、腕又は足の左右でも変更可能であり、本実施の形態の限定されるものではない。
【００５１】
ＳＴ５で、妊婦の腕の下腕下側、下腕上側、上腕下側、上腕上側の少なくとも、いずれかが、基準データ以上、例えば、１ｍｍ以上の差分がある、すなわち、１ｍｍ以上浮腫が減少したと判断された場合は、浮腫が改善されたとして、ＳＴ６へ進む。
ＳＴ６では、図１の表示部２１に「浮腫改善」と表示され、上記ＳＴ４の最も数値が大きい測定結果データに対応する時刻情報を「浮腫易い時刻」として表示する。さらに、最も数値が大きい測定結果データに対応する「血圧値」を「むくむときの血圧値」として表示する。
なお、このとき、上述の情報を表示部２１に表示すると共に、スピーカ２３から音声でも報知される。
【００５２】
一方、ＳＴ５で、浮腫が改善されないと判断されたときは、ＳＴ７で「浮腫非改善の表示」が表示部２１等になされる。
【００５３】
このように、本実施の形態では、浮腫改善装置１０で、マッサージ動作の前後で腕の周囲長さを測定することで、自動的に、浮腫を改善でき、また、その効果を判断することもできる。
特に、腕の周囲長さの測定は、下腕下側、下腕上側、上腕下側、上腕上側と、きめ細かく行うので、浮腫の改善を精度良く判断することができる。
また、浮腫に関し、上述したように、浮腫があるとされた計測結果情報の計測時刻情報から浮腫になり易い時間帯等を把握することにより、浮腫になり易い時刻情報も併せて、妊婦等の使用者に報知するので、妊婦等は，浮腫になり易い時刻等を知り、以後、注意することができる。
さらに、浮腫になり易い時刻における「血圧値」が表示部２１に表示されるので、妊婦等は、浮腫と血圧との関係を把握することができる。
【００５４】
なお、上述の説明では、妊婦等の使用者が腕にカフ装置３０を装着した場合について説明したが、足にカフ装置３０を装着することもできる。
この場合、図８のカフ構成部分３０ａは足のふくらはぎ下側、カフ構成部分３０ｂは足のふくらはぎ上側、カフ構成部分３０ｃは足の太もも下側、カフ構成部分３０ｄは足の太もも上側に配置され、空気袋３２に空気が注入され加圧等される。このとき、足首による血圧測定の工程を行うことで、足首の血圧を把握することができ、その結果、上腕の血圧値と足首の血圧値をデータ管理することで、ＡＢＩ（下肢と上肢の血圧の比）測定が可能となる。  
【００５５】
図９は、本実施の形態に係る浮腫改善装置の変形例を示す概略図である。
図９に示すように、本変形例にかかる浮腫改善装置のカフ装置３００は、上述の実施の形態にかかる浮腫改善装置１０のカフ装置３０と異なり、空気袋３２がなく、代わりにベルト３０１が設けられている。
そして、このベルト３０１が巻き取られ、使用者の腕Ｍ等にベルト３０１を密着させることで、巻き取られたベルト３０１の長さから、腕Ｍ等の周囲長さを測定する構成となっている。
本変形例では、腕Ｍ等の周囲長さの測定機構が簡易で取扱易いという利点がある。
【００５６】
本発明は、上述の各実施の形態に限定されない。例えば、本実施の形態では、カフ構成部分３０ｃで上腕の血圧測定を行ったが、それに限定せず、手首式の血圧計のように、カフ構成部分３０ａ先端に血圧測定装置２９を配置することで、マッサージ動作による影響を受けることなく血圧測定が行える。また、本発明は妊婦を使用者の例に挙げて説明したが、立ち仕事の方や、オフィスワークのように長時間席に座っての仕事の方にも浮腫は生じやすく、特に男性よりも女性にとって浮腫は悩みの１つでもある。美容の観点から鑑みても自分自身の浮腫を把握／管理することは重要なことであり、浮腫改善に関しては、女性全般から求められることである。すなわち、本発明の使用者は妊婦に限定されず、使用するものであれば、男女を問うものでもない。
【符号の説明】
【００５７】
２・・・パス、３・・・ＣＰＵ、４・・・ＲＡＭ、５・・・ＲＯＭ、１０・・・浮腫改善装置、２０・・・装置本体、２１・・・表示部、２２・・・開始ボタン、２３・・・スピーカ、２４ａ乃至２４ｄ・・・切り替えボタン、２７・・・マッサージ装置、２８・・・長さ計測装置、２９・・・血圧測定装置、３０、３００・・・カフ装置、３０ａ乃至３０ｄ・・・カフ構成部分、３１・・・シャーシ、３２・・・空気袋、３３ａ・・・発光素子、３３ｂ・・・受光素子、４０・・・多孔管、５０・・・制御部、５１・・・測定結果記憶部、５２・・・腕周囲長さ差分データ生成部（プログラム）、５３・・・腕周囲長さ差分データ記憶部、５４・・・浮腫改善判断部（プログラム）、５５・・・浮腫改善基準データ記憶部、３０１・・・ベルト、Ｍ・・・腕
【図１】
2012065805.tif 000003
【図２】
2012065805.tif 000004
【図３】
2012065805.tif 000005
【図４】
2012065805.tif 000006
【図５】
2012065805.tif 000007
【図６】
2012065805.tif 000008
【図７】
2012065805.tif 000009
【図８】
2012065805.tif 000010
【図９】
2012065805.tif 000011